(57)【特許請求の範囲】
【請求項１】
ピストンボアが備わっており、通路入口から通路出口に液体を通過させるための流動通路を有するハウジングと、
ピストンボア内に装着されたピストンが減圧を生成する真空ストロークと増圧を生成する圧縮ストロークとの間で往復運動するアクチュエータと、
アクチュエータの作動時に前記流動通路を通過する液体の流動を制御するための流動通路内のバルブユニットと、
ハウジングを容器に装着するための蓋とを含むトリガー式噴霧器において、
前記バルブユニットは上方が開口した環状表面を有するフレアスカート状のチェックバルブと、上方が開口した環状表面を有するスカート状のプライミングバルブが軸方向整列状態で離隔した一体型のプラスチックモールディングで構成されるとともに、下方にリブを有し、
前記蓋はハウジングと別個に形成されたものがハウジングに固定されるとともに、前記バルブユニットのチェックバルブが内挿される環状のバルブシートを有し、
前記バルブユニットは、蓋をハウジングに固定した際に、最上部がハウジングの内面に、下方のリブ下端がバルブシート内の蓋表面に当接してハウジングと蓋の間に固定され、
前記フレアスカート状のチェックバルブの表面は、ピストンの圧縮ストローク中にチェックバルブシート内周に向かう方向に開かれて内接し、
前記プライミングバルブの表面は、ピストンの真空ストローク中にハウジングの環状プライミングバルブシートと整合して噛み合うことを特徴とするトリガー式噴霧器。
【請求項２】
前記バルブユニットは前記ハウジング内でほぼ垂直に装着される、請求項１記載のトリガー式噴霧器。
【請求項３】
前記蓋はバイオネット式である、請求項１または２記載のトリガー式噴霧器。
【請求項４】
前記蓋はねじ山が形成されたボルト固定式である、請求項１または２記載のトリガー式噴霧器。
【発明の詳細な説明】
【技術分野】
【０００１】
本発明は、噴霧器に関するもので、より詳細には、低コストで製作することを可能としたトリガー式噴霧器に関するものである。
【背景技術】
【０００２】
揺動するトリガー（引金）の揺動運動をピストンの往復動に変換して、垂下した吸い込みチューブより液体容器内の液体を吸い込んで、ノズルより噴出させるトリガー式噴霧器が公知である（例えば、特許文献１）。
【０００３】
この種の噴霧器においては、ピストンはピストンボア領域内に進入することによりその内圧を高めて液体を噴出し、ピストンボア領域内より退出することによりその内圧を低めて負圧により容器内の液体を吸い込む作用を果たす。そして、この場合、ピストンは指先により連結されたトリガーを手前に引くことによりピストンボア領域内に進入し、指先の力を弱めることにより予め設けられた圧縮コイルバネの附勢力によりシリンダー内より退出していた。
【先行技術文献】
【特許文献】
【０００４】
【特許文献１】実公昭６１−９２０号公報
【発明の概要】
【発明が解決しようとする課題】
【０００５】
しかしながら、上記の従来技術においては金属部品を使用しており、液体等によって経年劣化する問題があり、また、噴霧器の全てを合成樹脂で構成することの妨げとなり、部品の合理化の上において問題があった。
【課題を解決するための手段】
【０００６】
本願発明は、以上の問題点を解決したトリガー式噴霧器を提供することを目的として創作されたものである。すなわち、請求項１に記載の本願発明のトリガー式噴霧器は、
ピストンボアが備わっており、通路入口から通路出口に液体を通過させるための流動通路を有するハウジングと、
ピストンボア内に装着されたピストンが減圧を生成する真空ストロークと増圧を生成する圧縮ストロークとの間で往復運動するアクチュエータと、
アクチュエータの作動時に前記流動通路を通過する液体の流動を制御するための流動通路内のバルブユニットと、
ハウジングを容器に装着するための蓋とを含むトリガー式噴霧器において、
前記バルブユニットは上方が開口した環状表面を有するフレアスカート状のチェックバルブと、上方が開口した環状表面を有するスカート状のプライミングバルブが軸方向整列状態で離隔した一体型のプラスチックモールディングで構成されるとともに、下方にリブを有し、
前記蓋はハウジングと別個に形成されたものがハウジングに固定されるとともに、前記バルブユニットのチェックバルブが内挿される環状のバルブシートを有し、
前記バルブユニットは、蓋をハウジングに固定した際に、最上部がハウジングの内面に、下方のリブ下端がバルブシート内の蓋表面に当接してハウジングと蓋の間に固定され、
前記フレアスカート状のチェックバルブの表面は、ピストンの圧縮ストローク中にチェックバルブシート内周に向かう方向に開かれて内接し、
前記プライミングバルブの表面は、ピストンの真空ストローク中にハウジングの環状プライミングバルブシートと整合して噛み合うことを特徴とした、
構成よりなる。
【０００７】
また、請求項２記載のトリガー式噴霧器は、請求項１記載のトリガー式噴霧器において、バルブユニットをハウジング内でほぼ垂直に装着した構成よりなる。
【０００８】
また、請求項３記載のトリガー式噴霧器は、請求項１記載のトリガー式噴霧器において、蓋をバイオネット式とした構成よりなる。
【０００９】
また、請求項４記載のトリガー式噴霧器は、請求項１記載のトリガー式噴霧器において、蓋をねじ山が形成されたボルト固定式とした構成よりなる。
【発明の効果】
【００１０】
全てがプラスチック製である本願発明のトリガー式噴霧器は、高品質を維持しながら、重量と製造コストを減少させるために最小限のプラスチックと構成要素を使用するように構成される。一方、チェックバルブシートを噴霧器ハウジングではなく蓋に形成することにより、噴霧器ハウジングとバルブユニットの組み立てが非常に容易になり、低コストで製作することが可能となる効果を奏する
【図面の簡単な説明】
【００１１】
【図１】本願発明のトリガー式噴霧器の側断面図である。
【図２】本願発明のトリガー式噴霧器の正面図である。
【図３】本願発明のトリガー式噴霧器の分解図である。
【図４】本願発明のトリガー式噴霧器のバルブユニットの斜視図である。
【図５】バルブユニットを内蔵する図１の部分拡大断面図である。
【図６】図１の噴霧器におけるトリガーとスプリングとの結合領域を示す断面図である。
【図７】本願発明のトリガー式噴霧器の側断面を斜視図で示した図である。
【図８】本願発明のトリガー式噴霧器を底面方向から観察した斜視図である。
【図９】本願発明の一実施例に係る蓋と瓶の首部の構成を示す分解斜視図である。
【図１０】同上、蓋と瓶の首部を他の方向から示す分解斜視図である。
【図１１】同上、組み立てられた状態の蓋及び瓶の首部を示す斜視図である。
【図１２】同上、底面方向から観察した蓋及び瓶の首部の断面図である。
【発明を実施するための形態】
【００１２】
図面に示したトリガー式噴霧器は、いずれもプラスチック材料で製造され、広範囲な出力量で分配を行うように製造される。この構成は、家庭用化学製品、芝及び庭園製品、自動車用製品などから得られる多くの液体製品を分配する際に使用される。
【００１３】
該当の構成は、ピストンボア領域２２内に吸引される液体を圧縮する一体型ピストン２１を使用する開閉バルブシステム（ｏｐｅｎ  ａｎｄ  ｃｌｏｓｅｄ  ｏｐｐｏｓｉｎｇ  ｖａｌｖｅ  ｓｙｓｔｅｍ）である。瓶からピストンチャンバ内に液体を引き込むために引水チューブ２３が使用される。一旦、液体がチェックバルブ領域２を経てピストンチャンバ内に吸引されれば、アクチュエータによってピストンがボア内に押し戻されることによってチェックバルブを閉鎖し、液体をノズル２４内に加圧するプライミングバルブ領域（ｐｒｉｍｉｎｇ  ｖａｌｖｅ  ａｒｅａ）１を開放し、液体を渦流チャンバ内で再び圧縮する。ここで、液体は、ノズルオリフィス２５を介して放出されるとき、渦流チャンバの構成種類によって噴霧又は泡沫になる。
【００１４】
図面に示したトリガー式噴霧器は、プラスチック復帰スプリング３を有し、このプラスチック復帰スプリングは、蓋構成要素２０を内蔵するトリガー噴霧器の内面４の上部にモールディングされたり機械的に付着される。プラスチック復帰スプリング３がハウジング６内に組み立てられると、プラスチック復帰スプリングはアクチュエータ１４に対して偏向（ｂｉａｓ）を提供し、ストロークをそれぞれ圧縮した後でアクチュエータを休止位置に復帰させる。
【００１５】
図面に示したトリガー式噴霧器は、プライミング及びチェック機能のための一体型バルブシステム１９を含む。バルブシステム１９の上部１（プライミング機能）は直線状の直径チューブとして形成され、バルブシステム１９の下部２（チェック機能）は截頭円錐状に形成される。一体型バルブシステム１９の最上部５はハウジング６の内面に対して停止部を提供し、一体型バルブシステム１９をハウジング構成要素６のプライミングバルブ領域１と整合用バルブシート領域７のみならず、バイオネット（ｂａｙｏｎｅｔ）構成要素９のチェックバルブ領域２と整合用バルブシート領域８に対して正確な関係で配置させる。プライミングバルブシート領域７をハウジング６内に設計し、チェックバルブシート領域８を別個のバイオネット領域９内に設計すると、モールディング、組み立て及び品質性能向上において大きな利点があり、且つ製造コストを節減できる。一体型バルブシステム１９の下部上のリブ１０は、バイオネット構成要素９の表面１１と一体型バルブシステム１９の表面１２との間に液体の流れのための間隙を提供するだけでなく、一体型バルブシステム１９の最上部５を正確な位置でハウジング構成要素６の表面１３に対して維持する。
【００１６】
図面に示したトリガー式噴霧器は、トリガー式噴霧器を瓶に固定できるようにバイオネット蓋システム９を含む。別個の構成要素であり、且つ多くの他の効率的でないバイオネット構成のように、ハウジングの一部又は任意の外側保護板構成要素でないバイオネットシステム９は、異なる瓶の首の大きさに合わせて蓋システムの直径を容易に変更できる。さらに、バイオネットシステム９は、子供保護要部１５を（１個、２個又はそれ以上）有する。子供保護要部１５は、瓶の細部１６から分離するために圧着しなければならない。
【００１７】
図面に示したトリガー式噴霧器は、噴霧又は発泡のために流体の機械的破壊を提供し、ハウジング構成要素６内への容易な組み立てを可能にするために管状の形態であって、容易に製造される単純な構成要素で構成される渦流構成要素１７を含む。また、管状の形態は、ハウジング６の領域１８の内側で過度な間隙を除去し、非常に優れた噴霧又は泡沫の移送を提供する。                              
【００１８】
全てがプラスチック製である本願発明のトリガー式噴霧器は、高品質を維持しながら、重量と製造コストを減少させるために最小限のプラスチックと構成要素を使用するように構成される。
【００１９】
トリガー式噴霧器の機能は、上述した説明から明らかである。圧縮ストロークでトリガーアクチュエータ１４を引くとピストンボア２２内の圧力が増加し、チェックバルブ２を閉鎖することによってピストンボアから引水チューブ２３と容器に向かう液体の流動が防止され、プライミングバルブ１を開放することによってピストンボア内の液体を噴霧器ノズルに流動させる。真空ストロークでトリガーアクチュエータを解除すると、プライミングバルブ１を閉鎖することによってピストンボア内に減圧を生成し、チェックバルブ２を開放することによって、容器からの液体を引水チューブ２３を介してピストンボアに流動させる。チェックバルブシート８を噴霧器ハウジング６ではなく蓋９に形成すれば、噴霧器ハウジングとバルブユニット１９の組み立てが非常に容易になる。バルブユニット、蓋及びハウジングの組み立ては、まず、バルブユニット（プライミングバルブを先に）をハウジング内に挿入した後、蓋とハウジングを蓋内に配置されたチェックバルブと組み立てることで、又は、バルブユニットと蓋を蓋内のチェックバルブと予め組み立てた後、バルブユニット（プライミングバルブを先に）をハウジング内に挿入し、蓋をハウジングに組み立てることで、高速自動化装備によって達成される。両方の組み立て方法において、プライミングバルブをハウジング内に挿入するとき、プライミングバルブが動かないようにする干渉がプライミングバルブスカートとハウジングの壁との間に形成されない。
【００２０】
以上では、蓋がバイオネット式である場合を示しているが、代案として、蓋９は当分野で広く知られているようにねじ山が形成されたボルト固定式のものでもあり得るという点に留意しなければならない。
【符号の説明】
【００２１】
１      プライミングバルブ
２      チェックバルブ
３      プラスチック復帰スプリング
６      ハウジング構成要素
８      チェックバルブシート
９      バイオネット構成要素
１９    バルブシステム
【図１】
0005632729.tif 000002
【図２】
0005632729.tif 000003
【図３】
0005632729.tif 000004
【図４】
0005632729.tif 000005
【図５】
0005632729.tif 000006
【図６】
0005632729.tif 000007
【図７】
0005632729.tif 000008
【図８】
0005632729.tif 000009
【図９】
0005632729.tif 000010
【図１０】
0005632729.tif 000011
【図１１】
0005632729.tif 000012
【図１２】
0005632729.tif 000013